(57)【要約】【課題】この発明は、膝部の診察や治療においてＸ線の透過を妨げたり不要な反射を起こすことがなく、容易に良好なＸ線透過映像を撮影することができる医療用膝置き台を提供することを目的とする。【解決手段】本発明の医療用膝置き台１は、医療用ベッドに取付けるものであって、互いに端部で所定の角度でつながっている第１の棒状部４と第２の棒状部５を有し、炭素繊維強化プラスチックを素材とするものであるため、医療用膝置き台１の一部がＸ線照射手段とＸ線受光手段の間にあってもＸ線の透過を妨げたり不要な反射を起こすことがなくなる。【選択図】図１
2006006584.tif 000002
【特許請求の範囲】
【請求項１】
医療用ベッドに取付ける医療用膝置き台であって、互いに端部で所定の角度でつながっている第１の棒状部と第２の棒状部を有し、炭素繊維強化プラスチックを素材とする医療用膝置き台。
【請求項２】
医療用ベッドに取付ける医療用膝置き台であって、炭素繊維強化プラスチックを素材とする２本のパイプと、この２本のパイプを直角に接続する継手を有する医療用膝置き台。
【請求項３】
継手が炭素繊維強化プラスチックを素材とするものであり、継手と２本のパイプが接続部材により接続されている請求項２に記載の医療用膝置き台。
【請求項４】
それぞれ炭素繊維強化プラスチックを素材とする２本のパイプと継手を別々の部材として形成し、ついで接続部材により２本のパイプと継手を接続することにより、継手を介して２本のパイプの端部同士をほぼ直角に接続することを特徴とする医療用ベッドに取付ける医療用膝置き台の製造方法。
【発明の詳細な説明】
【技術分野】
【０００１】
本発明は、膝の診察や手術を行うために患者の膝をベッドから持ち上げた状態で置くための医療用膝置き台に関するものである。
【背景技術】
【０００２】
外科や整形外科において、膝部に疾患のある患者の治療を行うために患者の膝を保持する装置として、特許文献１に医療用下肢保持装置が記載されている。所要寸法のベースに基部を固着されて上面が平坦で前部に前下がり勾配の傾斜受支面を有する上下伸縮可能な支持台と、この支持台の上面と前記傾斜受支面とに分割されて取付く脚部受支マットと、前記支持台の内部に設けられてその支持台を上下動操作させる駆動手段とを備えるものであり、脚部受支マットに患者の下肢を保持し、治療を行うものである。しかし、特許文献１に記載の医療用下肢保持装置は、支持台の内部に設けられてその支持台を上下動操作させる駆動手段とを備えるものであり、この駆動手段があるためにＸ線の受光装置を挿入することができず、医療用下肢保持装置に下肢を保持した状態で膝部のＸ線透過映像を撮ることができない。
【０００３】
手術の前、或いは手術中において、患部のＸ線透過映像をモニタリングする場合が多い。この場合、Ｃ型の形状のフレームの一端側にＸ線照射部を、他端側にＸ線受光部を有する装置を用い、患部をＣ型フレームの中に入れるようにしてＸ線透過映像を撮り、ＣＲＴ上に表示することが行われる。医者はこのＣＲＴ状に表示されたＸ線透過映像をモニタリングすることにより膝の内部の状態を診断したり、膝内部でのボルトの位置を確認しながらボルト挿入・固定する手術を行ったりする。従来の方法では、医療用のベッドにＬ型の形状の膝置き台を取り付け、ベッド上に患者を寝た状態にするとともに、Ｌ型の形状の水平な部分に患者の膝をのせて、診察や手術およびＸ線透過映像の撮影を行っていた。しかしながら、この膝置き台は素材がステンレスであるために、Ｘ線を透過しない。したがって、観察したい部分が膝置き台の陰に隠れないように位置を定めなければならず、また、直接膝置き台に患部が重ならなくても、膝置き台によるＸ線の反射によって、膝置き台の近くの映像が不鮮明になっていた。
【特許文献１】特開２００２−２５３５８７号公開特許公報
【発明の開示】
【発明が解決しようとする課題】
【０００４】
特許文献１の医療用下肢保持装置は、Ｘ線撮影装置を使用することができないという問題がある。また、従来使用されている膝置き台もステンレス製であるためにＸ線を透過することができず、また、不要なＸ線反射もあり、良好なＸ線透過映像を容易に得ることができない。患者の膝を動かしながら診断したい部分が膝置き台から遠ざかるように保ってＸ線透過映像を撮影することは医療従事者にとっても患者にとっても負担であるとともに、その間にＸ線を長時間被爆することも避けることが好ましい。
【０００５】
この発明は、膝部の診察や治療において容易に良好なＸ線透過映像を撮影することができる医療用膝置き台を提供することを目的とする。
【課題を解決するための手段】
【０００６】
上記の目的を解決するために、本発明の医療用膝置き台は、医療用ベッドに取付けるものであって、互いに端部で所定の角度でつながっている第１の棒状部と第２の棒状部を有し、炭素繊維強化プラスチックを素材とするものである。また、本発明の医療用膝置き台は、医療用ベッドに取付けるものであって、炭素繊維強化プラスチックを素材とする２本のパイプと、この２本のパイプを直角に接続する継手を有するするものでもよい。継手が炭素繊維強化プラスチックを素材とするものであり、継手と２本のパイプが接続部材により接続されているものとすることもできる。
【０００７】
さらに、本発明の医療用膝置き台の製造方法は、それぞれ炭素繊維強化プラスチックを素材とする２本のパイプと継手を別々の部材として形成し、ついで接続部材により２本のパイプと継手を接続することにより、継手を介して２本のパイプの端部同士をほぼ直角に接続することを特徴とするものである。
【発明の効果】
【０００８】
以上、この発明は、Ｘ線透過を妨げることなく、診察や手術において良好なＸ線透過映像を容易に撮影することができる医療用膝置き台を実現することができるという効果を有する。特に、第１の棒状部、第２の棒状部および継手をそれぞれ別々の部材として形成した後に接続することにより、医療用膝置き台の製造を容易にし、製造コストを低くするという効果を有する。
【発明を実施するための最良の形態】
【０００９】
本発明に医療用膝置き台の実施の形態を図面に基づいて説明する。図１は医療用膝置き台の使用状態を示す説明図である。医療用膝置き台１は、医療用ベッドのフレーム２に設けられた取り付け穴３へ取り付けて使用するものであり、膝部の診察・治療を行うときに、その患者の寝ているベッドに取付ける。
【００１０】
図２は医療用膝置き台を示す縦断面図である。医療用膝置き台１は略Ｌ型の形状であり、垂直な第１の棒状部４と水平な第２の棒状部５を有し、この２本の棒状部４、５がその端部同士で直角につながっている。そして、この第１の棒状部４と第２の棒状部５は炭素繊維強化プラスチックにより形成されている。医療用膝置き台１は、全体を一体の部材として炭素繊維強化プラスチックにより形成してもよいが、ここに示す例では、第１の棒状部４と第２の棒状部５はそれぞれ別々に炭素繊維強化プラスチックを素材とする２本のパイプとして形成されており、継手６によって接続されている。継手６も別の部材として炭素繊維強化プラスチックにより形成されたものである。このように第１の棒状部４、第２の棒状部５および継手６を別々の部材として成形し、ついでこれらの部材を接続して医療用膝置き台１を組み立てることにより、一体ものとして成形するよりも製造が容易となり、製造コストを低くすることができる。
【００１１】
第１の棒状部４は３００ｍｍ程度の長さであり、外径３０ｍｍ、内径２６ｍｍのパイプであり、チタンフィルム入りのものである。第１の棒状部４の一端にはステンレス製の中空上のメスカップリング７が接着剤やネジ等の接続部材により取付けられている。メスカップリング７の側壁にはネジ穴８があけられており、止めネジ９を取付けるようになっている。
【００１２】
オスカップリング１０もステンレス製の棒状の部材であり、一端側には切欠き部１１が設けられている。図３はこのオスカップリングを示す正面図である。この切欠き部１１のある側を医療用ベッドのフレーム２に設けられた取り付け穴３へ入れて、医療用ベッドに取付けるのであるが、取り付け穴３の奥には図示しないピンが水平に設けられており、オスカップリング１０を取り付け穴３に入れたときに切欠き部１１と係合し、オスカップリング１０は回転しないように固定される。オスカップリング１０の他端側は第１の棒状部４の内径よりやや細い外形を有する。その長さ方向に沿って複数の穴１２が設けられている。
【００１３】
第１の棒状部４の中にオスカップリング１０を通し、穴１２のいずれかをネジ穴８に合わせ、止めネジ９で止めることにより、医療用ベッドと医療用膝置き台１が接続される。穴１２は複数設けられているので、止めネジ９の先端が入る穴を選択することにより医療用膝置き台１の高さを調整することができる。
【００１４】
第２の棒状部５も第１の棒状部４と同様に外径３０ｍｍ、内径２６ｍｍのパイプであるが、長さは２００ｍｍ程度である。一端側にはキャップ１３が取付けられる。
【００１５】
医療用膝置き台１が医療用ベッドに取付けられたとき、第２の棒状部５は水平になっている。この第２の棒状部５に患者の膝部をのせる。手術等において必要な場合には、助手が患者の足首を持って膝を第２の棒状部５上に保持する。この状態において医師や看護士は診察・治療等の必要な処置を行う。
【００１６】
さらに図示しないＣ型フレームに設けられたＸ線照射手段１４とＸ線受光手段１５を患部に近づけ、Ｘ線透過映像を撮影する。Ｘ線照射手段１４より照射されたＸ線は患部を透過してＸ線受光手段１５に達して検知される。Ｘ線受光手段１５により得られた映像はＣＲＴ等の表示装置１６上に表示され、医師や看護士はリアルタイムで患部のＸ線透過映像をモニタリングすることができる。ここで、この発明の医療用膝置き台１は炭素繊維強化プラスチックによって形成されているためにＸ線を透過するので、Ｘ線照射手段１４とＸ線受光手段１５の間に医療用膝置き台１の一部がかかるようなことになってもＸ線透過映像を撮影することができる。また、ステンレスのように不要な反射を起こさないので、ハレーションを発生させることもなく、良好なＸ線透過映像をえることができる。
【００１７】
従来の膝置き台では、膝置き台２の一部がかかることを避けるために患部やＣ型フレームをその都度動かすことが必要であり、患者にも医療従事者にも大きな負担となっていたが、本発明においてはこの問題は解決され、観察に必要な部位の全てを容易かつ自由に撮影できる。Ｘ線透過映像撮影に必要な時間を短縮できることは、医療の効率を向上できることのみならず、不要な被爆をなくすることにもなり好ましいことである。
【産業上の利用可能性】
【００１８】
この発明は、Ｘ線透過を妨げることなく、診察や手術において良好なＸ線透過映像を容易に撮影することができる医療用膝置き台として適用することができる。
【図面の簡単な説明】
【００１９】
【図１】この発明の医療用膝置き台の使用状態を示す説明図である。
【図２】この発明の医療用膝置き台を示す断面図である。
【図３】オスカップリングを示す正面図である。
【符号の説明】
【００２０】
１．医療用膝置き台
２．医療用ベッドのフレーム
３．取り付け穴
４．第１の棒状部
５．第２の棒状部
６．継手
【図１】
2006006584.tif 000003
【図２】
2006006584.tif 000004
【図３】
2006006584.tif 000005